(57)【特許請求の範囲】
【請求項１】
燃料ガスを燃焼するバーナと、
上記バーナの火力調節を弱火から強火の範囲で行なう火力調節手段を備えたガスこんろにおいて、
調理鍋の大きさを検出する鍋径検出手段を設け、該鍋径検出手段により調理鍋が所定の径寸法以下と検出された場合、上記火力調節手段の調節範囲の最大値を下げて火力調節可能範囲を上記弱火から該下げられた最大値までの範囲に制限する火力制限手段を備えたことを特徴とするガスこんろ。
【発明の詳細な説明】
【０００１】
【発明の属する技術分野】
本発明は、テーブルこんろ等のガスこんろに関し、詳しくはガス量調節機構を備え調理時に火力調節を行なうガスこんろに関する。
【０００２】
【従来の技術】
従来より、こんろバーナに火加減を調節する火力調節手段を設け、調理時の使い勝手を良くすると共に、こんろバーナの火炎で調理鍋の取っ手や使用者の袖を焦がすことを防止するガスこんろが知られている。
例えば、図６に示すように、前面の操作パネル３７と、プッシュ式の操作ボタン３６と、燃料ガスの流路を開閉するマグネット安全弁３２と、その下流で燃料ガスの流路を開閉するメイン弁３３と、メイン弁３３を途中に挿通し先端でマグネット安全弁３２を押し開くスピンドル３８と、さらにその下流で燃焼部２０への燃料ガス流量の調節をするニードル弁３４と、そのニードル弁３４を操作してバーナ火炎１４の火力調節を行なう火力調節レバー３５を備える。
【０００３】
【発明が解決しようとする課題】
しかしながら、こうした従来のガスこんろにあっては、使用者がこんろを強火力のままで使用してうっかり鍋の取っ手や服の袖をこがすことが有った。すなわち、火力調整は使用者の目視による判断に委ねられているので、本来ガス量を絞る必要のある小径の鍋であるにもかかわらず、気がつかなかったり、ガス量を絞る必要が無いと誤判断して強火力のままで使用してしまい鍋の取っ手や服の袖をこがすことが有った。
本発明のガスこんろは、上記課題を解決し、確実に鍋の取っ手や使用者の袖を焦がすことを防止するガスこんろを提供することを目的とする。
【０００４】
【課題を解決するための手段】
上記課題を解決する本発明のガスこんろは、燃料ガスを燃焼するバーナと、
上記バーナの火力調節を弱火から強火の範囲で行なう火力調節手段を備えたガスこんろにおいて、
調理鍋の大きさを検出する鍋径検出手段を設け、該鍋径検出手段により調理鍋が所定の径寸法以下と検出された場合、上記火力調節手段の調節範囲の最大値を下げて火力調節可能範囲を上記弱火から該下げられた最大値までの範囲に制限する火力制限手段を備えたことを要旨とする。
【０００５】
上記構成を有する本発明のガスこんろは、鍋径検出手段により調理鍋の径寸法を検出し、所定の径寸法以下だと火力制限手段で火力調節手段の調節範囲の最大値を下げて火力調節可能範囲を弱火から下げられた最大値までの範囲に制限する。このため、必要以上の大きな火炎が生じることもなく、鍋の側面から火炎が大きくはみ出さないので、鍋の取っ手や服の袖をこがすことを防止できる。
【０００６】
【発明の実施形態】
以上説明した本発明の構成・作用を一層明らかにするために、以下本発明の加熱調理器の好適な実施例について説明する。
図１は一実施例としてのガスこんろの概略構成図である。
本実施例のガスこんろは、大別すると、点火操作を行なう点火部１０と、燃料ガスを燃焼させる燃焼部２０とを備える。
点火部１０は、前面の操作パネル１７と、プッシュ式の操作ボタン２６と、燃料ガスの流路を開閉するマグネット安全弁１２と、その下流で燃料ガスの流路を開閉するメイン弁１３と、メイン弁１３を途中に挿通し先端でマグネット安全弁１２を押し開くスピンドル２８と、さらにその下流で燃焼部２０への燃料ガス流量を調節するニードル弁２４と、そのニードル弁２４を操作してバーナ火炎の火力調節を行なう火力調節レバー１５を備える。
また、火力調節レバー１５は、ガス量調節範囲の最大値を下げるストッパー２２が設けられ、そのストッパー２２は鍋径検出センサ１９と連動棒２３とで連動されている。
また、鍋径検出センサ１９はバネ２５で五徳１１より上方位置に付勢され、調理鍋７を五徳に載置した時に鍋底で下方に押し下げられる。そして、支点３で軸支する連動棒２３の一端に鍋径検出センサ１９を連結し、他端に回動可能にしたストッパー２２を連結し、鍋径検出センサ１９の上下動をストッパー２２の回動に変換している。
【０００７】
燃焼部２０は、燃料ガスと１次空気を混合し炎口部で燃焼させるバーナ２９と、バーナ２９に載置されバーナ２９の炎口部との隙間で炎口を形成するバーナヘッド２７と、バーナ２９へ燃料ガスを噴出するノズル２１と、高電圧を印加されて放電することにより混合ガスに点火する電極１６と、バーナ２９の炎を監視する熱電対１８とを備える。
【０００８】
調理鍋７の煮たき時の自動火力調整の動作を説明する。
調理鍋７をガスこんろに載置した時、調理鍋７の径が所定の径より大きい場合、図２に示すように、調理鍋７の底で鍋径検出センサ１９を下方に押し下げ、連動棒２３を介して連動しているストッパー２２を火力調節レバー１５から解除するので、火力調整の範囲の制限はなくなる。従って、大径鍋に適した火力調整を行なうことが出きる。
また、火力調節レバー１５を最大に調整してバーナ２９の火炎１４が大きくなっても使用鍋径が所定の径より大きい鍋であるため、火炎１４が鍋の外周に大きく溢れることはない。
【０００９】
また、調理鍋７の径が所定の径より小さい場合、図１および図４に示すように、鍋径検出センサ１９は、調理鍋７に当接せずバネ２５で付勢されたまま初期状態を保つため、火力調節レバー１５は、図５に示すように、ストッパー２２により火力調整の範囲を制限されたままの状態である。従って、火力は必要以上に大きくならず小径鍋であっても外周に火炎１４が大きく溢れることはない。
【００１０】
以上説明した図１の実施例によれば、所定の鍋径を検出して所定の変位を生じる鍋径検出センサ１９と、鍋径検出センサ１９に連動した調整範囲を制限するストッパー２２とを火力調節レバー１５に備えるといった簡単な機構で鍋の外周への炎溢れの防止を図ることができる。
すなわち、火力調節レバー１５は、通常時にはストッパー２２で調節範囲を制限されており、所定の径以上の調理鍋７がこんろにセットされた時に初めてその鍋底で鍋径検出センサ１９を押し下げ、ストッパー２２が解除される。
【００１１】
また、バネ２５は鍋径検出センサ１９とストッパー２２を初期状態に復帰させるだけであるから小さい荷重でも良く、本実施例の様な自動復帰タイプの構成が可能になる。従って、ユーザーが次回使用する時にリセットの手間が省けて使い勝手がよいと共に、使用者によるうっかりミスを確実に防止できるので安全である。
また、強火力燃焼している調理中の大径鍋を外した場合、バネ２５により鍋径検出センサ１９を押し上げ、連動棒２３で連動されたストッパー２２が回動して火力調節レバー１５を自動的に中火力燃焼に絞るので、火炎１４は小さくなり安全である。
また、手動によるストッパー２２の強制解除装置（図示略）を設けることによりフライパン等の鍋振りを行なう炒めもの料理にも支障なく利用できることは言うまでもない。
以上本発明の実施例について説明したが、本発明はこうした実施例に何等限定されるものではなく、例えば鍋径検出手段は、光センサ，磁気センサを使用するもので有ってもよく本発明の要旨を逸脱しない範囲に於いて、種々なる態様で実施し得ることは勿論である。
【００１２】
【発明の効果】
以上詳述したように、本発明のガスこんろによれば、鍋径検出手段と、火力制限手段を備えることにより火炎の溢れを無くし、鍋の取っ手や使用者の服の袖を焦がすといったことを確実に防止できるという優れた効果を奏する。
【図面の簡単な説明】
【図１】一実施例としてのこんろの概略構成図である。
【図２】大径鍋を載せたこんろの要部概略図である。
【図３】制限解除の火力調節レバーの火力調節範囲の概略図である。
【図４】小径鍋を載せたこんろの要部概略図である。
【図５】制限された火力調節レバーの火力調節範囲の概略図である。
【図６】従来例のこんろの概略構成図である。
【符号の説明】
１０…点火部
１２、３２…マグネット安全弁
１３、３３…メイン弁
１５、３５…火力調節レバー
１７…操作パネル
１９…鍋径検出センサ
２０…燃焼部
２２…ストッパー
２３…連動棒
２４…ニードル弁
２５…バネ
２６…操作ボタン
２８…スピンドル
２９…バーナ
【図１】
0003677324.tif 000002
【図２】
0003677324.tif 000003
【図３】
0003677324.tif 000004
【図４】
0003677324.tif 000005
【図５】
0003677324.tif 000006
【図６】
0003677324.tif 000007